(57)【要約】      （修正有）【課題】ねじ込み手段が設けられていないアース用導電体に取付け可能なノイズフィルタを提供する。【解決手段】ノイズフィルタＦａは、コンデンサ（フィルタ素子）と、コンデンサを収容するケース１１と、ケース１１に一体に設けられ、コンデンサに接続された金属製のアース部材２１と、アース部材２１を構成し、ケース１１の外部に突出した固定用延出部２４と、アース部材２１の接続対象であるアース用導電体Ｅを、アース部材２１との間で挟むように配される固定部材３２と、固定部材３２に設けた雌ネジ孔３９（待受側ネジ部）と、雌ネジ孔３９にねじ込まれることで、固定用延出部２４と固定部材３２とを接近させるボルト４０（ネジ部材）とを備える。【選択図】図２
2016154290.tif 000002
【特許請求の範囲】
【請求項１】
フィルタ素子と、
前記フィルタ素子を収容するケースと、
前記ケースに一体に設けられ、前記フィルタ素子に接続された金属製のアース部材と、
前記アース部材を構成し、前記ケースの外部に突出した固定用延出部と、
前記アース部材の接続対象であるアース用導電体を、前記アース部材との間で挟むように配される固定部材と、
前記固定用延出部と前記固定部材のうちいずか一方に設けた待受側ネジ部と、
前記待受側ネジ部にねじ込まれることで、前記固定用延出部と前記固定部材とを接近させるネジ部材とを備えていることを特徴とするノイズフィルタ。
【請求項２】
前記アース部材と前記固定部材には、互いに係止することで前記アース部材と前記固定部材の相対回転を規制する回り止め部が形成されていることを特徴とする請求項１記載のノイズフィルタ。
【請求項３】
前記アース部材と前記固定部材のうち少なくとも一方に、前記アース用導電体の外縁部に係止することで前記アース部材又は前記固定部材が前記アース用導電体に対して相対回転することを規制する回転規制部が形成されていることを特徴とする請求項１又は請求項２記載のノイズフィルタ。
【発明の詳細な説明】
【技術分野】
【０００１】
本発明は、ノイズフィルタに関するものである。
【背景技術】
【０００２】
特許文献１には、車体のアースポイントに、ノイズフィルタのアース部材を固定して導通可能に接続する手段として、アース部材にボルトを貫通させ、そのボルトをアースポイントにねじ込む構造が開示されている。
【先行技術文献】
【特許文献】
【０００３】
【特許文献１】特開２０１４−２２９３９９号公報
【発明の概要】
【発明が解決しようとする課題】
【０００４】
アースポイントを有するアース用導電体に上記のノイズフィルタを固定するためには、予め車体側に、ナットの溶接やバーリング加工等の手段により、ボルトをねじ込むためのねじ込み手段を設けておく必要がある。
本発明は上記のような事情に基づいて完成されたものであって、ねじ込み手段が設けられていないアース用導電体に取付け可能なノイズフィルタを提供することを目的とする。
【課題を解決するための手段】
【０００５】
本発明のノイズフィルタは、
フィルタ素子と、
前記フィルタ素子を収容するケースと、
前記ケースに一体に設けられ、前記フィルタ素子に接続された金属製のアース部材と、
前記アース部材を構成し、前記ケースの外部に突出した固定用延出部と、
前記アース部材の接続対象であるアース用導電体を、前記アース部材との間で挟むように配される固定部材と、
前記固定用延出部と前記固定部材のうちいずか一方に設けた待受側ネジ部と、
前記待受側ネジ部にねじ込まれることで、前記固定用延出部と前記固定部材とを接近させるネジ部材とを備えているところに特徴を有する。
【発明の効果】
【０００６】
アース部材と固定部材との間にアース用導電体を介在させた状態で、待受側ネジ部にネジ部材をねじ込むと、アース部材と固定部材がアース用導電体を挟み付ける。これにより、ノイズフィルタがアース用導電体に固定されると同時に、アース部材がアース用導電体に接触してアースされる。本発明のノイズフィルタは、ねじ込み手段として待受側ネジ部とネジ部材を有しているので、ねじ込み手段が設けられていないアース用導電体にも導通可能に取り付けることができる。
【図面の簡単な説明】
【０００７】
【図１】実施例１のノイズフィルタをアース用導電体に取り付けた状態をあらわす一部切欠平面図
【図２】ノイズフィルタをアース用導電体に取り付けた状態をあらわす断面図
【図３】実施例２のノイズフィルタをアース用導電体に取り付けた状態をあらわす一部切欠平面図
【図４】ノイズフィルタをアース用導電体に取り付けた状態をあらわす断面図
【発明を実施するための形態】
【０００８】
（ａ）本発明のノイズフィルタは、前記アース部材と前記固定部材には、互いに係止することで前記アース部材と前記固定部材の相対回転を規制する回り止め部が形成されていてもよい。この構成によれば、ネジ部材を待受側ネジ部にねじ込んでいく際に、アース部材と固定部材が相対回転しないので、ネジ部材と待受側ネジ部を確実に締め付けることができる。
【０００９】
（ｂ）本発明のノイズフィルタは、前記アース部材と前記固定部材のうち少なくとも一方に、前記アース用導電体の外縁部に係止することで前記アース部材又は前記固定部材が前記アース用導電体に対して相対回転することを規制する回転規制部が形成されていてもよい。この構成によれば、ネジ部材と待受側ネジ部を確実に締め付けることができる。
【００１０】
＜実施例１＞
以下、本発明を具体化した実施例１を図１〜図２を参照して説明する。本実施例１のノイズフィルタＦａは、自動車の車体に設けた金属製のアース用導電体Ｅに取り付けられて接地されるようになっている。アース用導電体Ｅは、細長い板状をなす。アース用導電体Ｅには、その長さ方向に沿って延び、且つアース用導電体Ｅの表面側に突出した形態の２本の補強リブＲが形成されている。このアース用導電体Ｅには、ノイズフィルタＦａが固定されるとともに、ノイズフィルタＦａを構成するアース部材２１が導通可能に接続されるようになっている。
【００１１】
ノイズフィルタＦａは、フィルタ本体１０と、固定部材３２と、ボルト４０（請求項に記載のネジ部材）とを備えて構成されている。フィルタ本体１０は、ケース１１と、ジョイント端子１７と、アース部材２１と、π型フィルタ２７とを備えている。ケース１１は、合成樹脂製であり、箱形のフィルタ収容部１２と、フィルタ収容部１２の両端面から突出する一対の筒状嵌合部１３とを一体に形成したものである。フィルタ収容部１２を構成する底壁部１４には、その壁厚方向に貫通する一対の開口部１５が形成されている。筒状嵌合部１３には、ワイヤーハーネス（図示省略）のコネクタ（図示省略）が嵌合されるようになっている。フィルタ収容部１２と２つの筒状嵌合部１３は、隔壁１６によって区画されている。
【００１２】
ジョイント端子１７は、金属製であり、幅方向に細長い基部１８と、基部１８の長さ方向に沿った一方の側縁から並列状に突出する複数の端子接続部１９と、基部１８の他方の側縁から突出する溶接部２０とを備えている。ジョイント端子１７は、複数の端子接続部１９を隔壁１６に貫通させた形態で、圧入やインサート成形等によりケース１１に取り付けられている。複数の端子接続部１９は、筒状嵌合部１３内に収容され、ワイヤーハーネスの端子金具（図示省略）に接続されるようになっている。
【００１３】
アース部材２１は、金属製であり、本体部２２と、回転規制部２３と、固定用延出部２４とを一体に形成した形態である。アース部材２１は、インサート成形等によりケース１１と一体化されている。本体部２２は、平面視略方形をなす平板状をなし、底壁部１４の外面に重なるように配されている。回転規制部２３は、本体部２２の外縁のうち固定用延出部２４とは反対側に位置する外縁から、底壁部１４とは反対側へ略直角に延出した形態（換言すると、略直角に曲げた形態）である。回転規制部２３は、外縁に沿ってリブ状に細長く延びている。
【００１４】
固定用延出部２４は、細長く直線状に延びた平板状をなし、本体部２２の１つの外縁から面一状に且つ片持ち状に延出している。本体部２２が、その表面をケース１１の底壁部１４と対向させているのに対し、固定用延出部２４は、ケース１１の外部へ突出した形態であって、固定用延出部２４の表裏両面は露出した状態となっている。固定用延出部２４には、その表面側から裏面側へ（つまり、厚さ方向に）貫通した形態の貫通孔２５が形成されている。また、固定用延出部２４の延出端部（貫通孔２５よりも延出端側の位置）には、その表面側から裏面側へ貫通した形態の長方形の係止孔２６（請求項に記載の回り止め部）が形成されている。
【００１５】
π型フィルタ２７は、フィルタ素子として機能するコイル２８と、同じくフィルタ素子として機能する２つのコンデンサ２９（請求項に記載のフィルタ素子）とを備えて構成されている。コイル２８は、略円筒状をなし、フィルタ収容部１２内の略中央位置に収容されている。コイル２８の両端部は、２つのジョイント端子１７の溶接部２０に半田付け等により接続されている。一対のコンデンサ２９は、フィルタ収容部１２内に収容され、コイル２８を挟むように配されている。各コンデンサ２９から導出している一対のリード線３０，３１のうち一方のリード線３０は、半田付け等によりジョイント端子１７の溶接部２０に接続されている。各コンデンサ２９の他方のリード線３１は、底壁部１４の開口部１５において、半田付け等によりアース部材２１の本体部２２に接続されている。
【００１６】
固定部材３２は、所定の剛性と強度を有する金属製の板材に、曲げ加工等を施して成形されている。固定部材３２は、全体として細長く延びた略平板状の基板部３３を有する。基板部３３の長さ方向における一方の端部には、段差状屈曲部３４と、係止突起３７（請求項に記載の回り止め部）とが形成されている。段差状屈曲部３４は、基板部３３の表面側へ略直角に屈曲した第１屈曲部３５と、第１屈曲部３５の先端縁から略直角に且つ基板部３３と略平行をなすように屈曲した第２屈曲部３６とから構成されている。
【００１７】
第１屈曲部３５は、基板部３３の全幅領域に亘って形成されている。これに対し、第２屈曲部３６は、第１屈曲部３５の全幅領域のうち両端部のみに連なっていて、第２屈曲部３６の平面視形状は、略Ｕ字形をなしている。係止突起３７は、第１屈曲部３５の全幅領域のうちの中央部から、第１屈曲部３５と面一状、つまり、基板部３３と略直角に延出した形態である。また、基板部３３のうち長さ方向中央よりも段差状屈曲部３４側へ片寄った位置には、バーリング加工部３８が形成されている。バーリング加工部３８は、基板部３３の幅方向中央部を裏面側へ略円筒状に叩き出すことによって形成されている。バーリング加工部３８の内周には、軸線を基板部３３と直角に向けた雌ネジ孔３９（請求項に記載の待受側ネジ部）が形成されている。
【００１８】
ボルト４０は、外周に雄ネジ部が形成された円柱状の軸部４１と、軸部４１の一方の端部に形成された正六角形の頭部４２とを備えた周知形態の締結部品である。軸部４１の外径は、貫通孔２５の内径よりも少し小さく、雌ネジ孔３９に螺合可能な寸法である。また、頭部４２の外周に接する仮想外接円（図示省略）の径寸法は、貫通孔２５の内径よりも大きい寸法である。
【００１９】
次に、本実施例１の作用を説明する。ノイズフィルタＦａをアース用導電体Ｅに固定する際には、アース部材２１の本体部２２と固定用延出部２４の一部をアース用導電体Ｅの表面に当接させるとともに、固定部材３２の基板部３３を、本体部２２及び固定用延出部２４と平行に向けてアース用導電体Ｅの裏面に当接させる。つまり、アース用導電体Ｅをアース部材２１と固定部材３２とによって挟む。これと同時に、固定部材３２の係止突起３７をアース部材２１の係止孔２６に嵌入するとともに、第２屈曲部３６を、固定用延出部２４の裏面に当接させる。そして、回転規制部２３をアース用導電体Ｅの一方の側縁に当接させるとともに、貫通孔２５と雌ネジ孔３９を同軸状に位置決めする。
【００２０】
この状態で、ボルト４０の軸部４１を、アース部材２１の表面側から貫通孔２５に挿入して、雌ネジ孔３９にねじ込む。そして、頭部４２がアース部材２１の表面を押圧するまでボルト４０を締め付ければ、アース用導電体Ｅに対するノイズフィルタＦａの取付け作業が完了する。ノイズフィルタＦａをアース用導電体Ｅに固定した状態では、アース部材２１と固定部材３２がアース用導電体Ｅを挟み付けることにより、位置ずれすることなく取付け状態に保持される。また、アース部材２１の本体部２２の裏面と固定用延出部２４の裏面が、アース用導電体Ｅの補強リブＲに当接するので、アース部材２１がアース用導電体Ｅに導通可能に接続される。これにより、ノイズフィルタＦａがアース用導電体Ｅに接地される。
【００２１】
また、アース部材２１と固定部材３２に対しアース用導電体Ｅを挟み付ける力が付与されるポイント（つまり、ボルト４０の位置）は、挟み付け方向と直角な二次元平面において、アース用導電体Ｅから外れた位置である。したがって、ボルト４０を締め付けたときに、アース部材２１（本体部２２及び固定用延出部２４）と固定部材３２の基板部３３が、平行にならずに、ボルト４０を略支点として拡開し、アース用導電体Ｅが挟み付けられなくなることが懸念される。
【００２２】
そこで、本実施例１では、ボルト４０を挟んでアース用導電体Ｅとは反対側の位置において、固定部材３２の第２屈曲部３６をアース部材２１の裏面に当接させ、第１屈曲部３５が、固定部材３２とアース部材２１が接近しないようにスペーサとしての機能を発揮するようにしている。これにより、アース部材２１と固定部材３２の基板部３３が平行をなしてアース用導電体Ｅを確実に挟み付けることができる。
【００２３】
また、ボルト４０を雌ネジ孔３９に締め付ける際に、頭部４２とアース部材２１との間の摩擦により、アース部材２１がボルト４０と一体となって連れ回りしようとする。しかし、本実施例１では、ボルト４０の軸心から偏心した位置において、係止突起３７と係止孔２６に係止させ、ボルト４０を中心とするアース部材２１と固定部材３２との相対変位を規制している。したがって、アース部材２１が連れ回りする虞はない。さらに、ボルト４０を雌ネジ孔３９に締め付けるときのアース部材２１の連れ回りは、回転規制部２３をアース用導電体Ｅの側縁に当接させることによっても規制されている。
【００２４】
本実施例１のノイズフィルタＦａは、コンデンサ２９を収容するケース１１と、ケース１１に一体に設けられ、コンデンサ２９に接続された金属製のアース部材２１と、固定部材３２と、ボルト４０とを備えている。アース部材２１を構成する固定用延出部２４は、ケース１１の外部に突出している。固定部材３２は、アース部材２１の接続対象であるアース用導電体Ｅを、アース部材２１との間で挟むように配されるものである。この固定部材３２には雌ネジ孔３９が形成されている。ボルト４０は、雌ネジ孔３９にねじ込まれることで、固定用延出部２４（アース部材２１）と固定部材３２とを接近させる。
【００２５】
この構成によれば、アース部材２１と固定部材３２との間にアース用導電体Ｅを介在させた状態で、雌ネジ孔３９にボルト４０をねじ込むと、アース部材２１と固定部材３２がアース用導電体Ｅを挟み付ける。これにより、ノイズフィルタＦａがアース用導電体Ｅに固定されると同時に、アース部材２１がアース用導電体Ｅに接触してアースされる。本実施例１のノイズフィルタＦａは、ねじ込み手段として雌ネジ孔３９とボルト４０を有しているので、ねじ込み手段が設けられていないアース用導電体Ｅにも導通可能に取り付けることができる。
【００２６】
また、アース部材２１と固定部材３２には、互いに係止することでアース部材２１と固定部材３２の相対回転を規制する回り止め部として、夫々、係止孔２６と係止突起３７が形成されている。この構成によれば、ボルト４０を雌ネジ孔３９にねじ込んでいく際に、アース部材２１と固定部材３２が相対回転しないので、ボルト４０と雌ネジ孔３９を確実に締め付けることができる。しかも、アース部材２１には、アース用導電体Ｅの外縁部に係止することでアース部材２１がアース用導電体Ｅに対して相対回転することを規制する回転規制部２３が形成されている。この構成によれば、ボルト４０と雌ネジ孔３９を確実に締め付けることができる。
【００２７】
＜実施例２＞
次に、本発明を具体化した実施例２を図３〜図４を参照して説明する。本実施例２のノイズフィルタＦｂは、フィルタ本体５０を構成するアース部材５１と固定部材５７を上記実施例１とは異なる構成としたものである。フィルタ本体５０のうちアース部材５１以外の構成（ケース１１、ジョイント端子１７及びπ型フィルタ２７）と、ボルト４０と、アース用導電体Ｅについては上記実施例１と同じであるため、同じ構成については、同一符号を付し、構造、作用及び効果の説明は省略する。
【００２８】
本実施例２のアース部材５１は、金属製であり、本体部５２と、固定用延出部５３と、係止用延出部５５とを一体に形成した形態である。アース部材５１は、インサート成形等によりケース１１と一体化されている。本体部５２は、平面視略方形をなす平板状をなし、ケース１１の底壁部１４の外面に重なるように配されている。
【００２９】
固定用延出部５３は、本体部５２よりも幅狭の方形をなし、本体部５２の１つの外縁から、本体部５２と面一状に且つ片持ち状に延出している。本体部５２が、その表面をケース１１の底壁部１４と対向させているのに対し、固定用延出部５３は、ケース１１の外部へ突出した形態であって、固定用延出部５３の表裏両面は露出した状態となっている。固定用延出部５３には、その表面側から裏面側へ（つまり、厚さ方向に）貫通した形態の貫通孔５４が形成されている。
【００３０】
係止用延出部５５は、固定用延出部５３と同様、本体部５２よりも幅狭の方形をなしている。係止用延出部５５は、本体部５２の外縁のうち固定用延出部５３とは反対側の外縁から、本体部５２と面一状に且つ片持ち状に延出している。係止用延出部５５には、その表面側から裏面側へ貫通した形態の長方形の係止孔５６（請求項に記載の回り止め部）が形成されている。
【００３１】
本実施例２の固定部材５７は、所定の剛性と強度を有する金属製の板材に、曲げ加工等を施して成形されている。固定部材５７は、全体として細長く延びた略平板状の基板部５８を有する。基板部５８の長さ方向における一方の端部には、屈曲部５９と、係止突起６０（請求項に記載の回り止め部）と、ストッパ６１とが形成されている。
【００３２】
屈曲部５９は、基板部５８の表面側へ略直角に屈曲した形態であり、基板部５８の全幅に亘って形成されている。係止突起６０は、屈曲部５９の全幅領域のうちの中央部から、屈曲部５９と面一状、つまり、基板部５８と略直角に延出した形態である。また、ストッパ６１は、係止突起６０の延出端縁から基板部５８と略平行に延出した形態である。ストッパ６１は、係止突起６０の全幅に亘って形成されている。
【００３３】
基板部５８の長さ方向における他方の端部には、バーリング加工部６２が形成されている。バーリング加工部６２は、基板部５８の幅方向中央部を裏面側へ略円筒状に叩き出すことによって形成されている。バーリング加工部６２の内周には、軸線を基板部５８と直角に向けた雌ネジ孔６３（請求項に記載の待受側ネジ部）が形成されている。
【００３４】
次に、本実施例２の作用を説明する。ノイズフィルタＦｂをアース用導電体Ｅに固定する際には、アース部材５１の本体部５２をアース用導電体Ｅの表面に当接させるとともに、固定部材５７の基板部５８を、本体部５２と平行に向けて、アース用導電体Ｅの裏面に当接させる。つまり、アース用導電体Ｅをアース部材５１と固定部材５７とによって挟む。これと同時に、固定部材５７の係止突起６０をアース部材５１の係止孔５６に嵌入するとともに、固定部材５７のストッパ６１を、アース部材５１表面における係止孔５６の孔縁部に対向又は当接させる。そして、貫通孔５４と雌ネジ孔６３を同軸状に位置決めする。
【００３５】
この状態で、ボルト４０の軸部４１を、アース部材５１の表面側から貫通孔５４に挿入して、雌ネジ孔６３にねじ込む。そして、頭部４２がアース部材５１の表面を押圧するまでボルト４０を締め付ければ、アース用導電体Ｅに対するノイズフィルタＦｂの取付け作業が完了する。ノイズフィルタＦｂをアース用導電体Ｅに固定した状態では、アース部材５１と固定部材５７がアース用導電体Ｅを挟み付けることにより、位置ずれすることなく取付け状態に保持される。また、アース部材５１の本体部５２の裏面が、アース用導電体Ｅの補強リブに当接するので、アース部材５１がアース用導電体Ｅに導通可能に接続される。これにより、ノイズフィルタＦｂがアース用導電体Ｅに接地される。
【００３６】
また、アース部材５１と固定部材５７に対しアース用導電体Ｅを挟み付ける力が付与されるポイント（つまり、ボルト４０の位置）は、挟み付け方向と直角な二次元平面において、アース用導電体Ｅから外れた位置である。したがって、ボルト４０を締め付けたときに、アース部材５１（本体部５２）と固定部材５７の基板部５８が、平行にならずに、ボルト４０を略支点として拡開し、アース用導電体Ｅが挟み付けられなくなることが懸念される。
【００３７】
そこで、本実施例２では、アース用導電体Ｅを挟んでボルト４０とは反対側の位置において、固定部材５７のストッパ６１をアース部材５１の表面に係止させ、このストッパ６１の係止作用により、固定部材５７とアース部材５１が離間しないようにしている。これにより、アース部材５１と固定部材５７の基板部５８が平行をなしてアース用導電体Ｅを確実に挟み付けることができる。
【００３８】
また、ボルト４０を雌ネジ孔６３に締め付ける際に、頭部４２とアース部材５１との間の摩擦により、アース部材５１がボルト４０と一体となって連れ回りしようとする。しかし、本実施例２では、ボルト４０の軸心から偏心した位置において、係止突起６０と係止孔５６に係止させ、ボルト４０を中心とするアース部材５１と固定部材５７との相対変位を規制している。したがって、アース部材５１が連れ回りする虞はない。
【００３９】
本実施例２のノイズフィルタＦｂは、コンデンサ２９を収容するケース１１と、ケース１１に一体に設けられ、コンデンサ２９に接続された金属製のアース部材５１と、固定部材５７と、ボルト４０とを備えている。アース部材５１を構成する固定用延出部５３は、ケース１１の外部に突出している。固定部材５７は、アース部材５１の接続対象であるアース用導電体Ｅを、アース部材５１との間で挟むように配されるものである。この固定部材５７には雌ネジ孔６３が形成されている。ボルト４０は、雌ネジ孔６３にねじ込まれることで、固定用延出部５３（アース部材５１）と固定部材５７とを接近させる。
【００４０】
この構成によれば、アース部材５１と固定部材５７との間にアース用導電体Ｅを介在させた状態で、雌ネジ孔６３にボルト４０をねじ込むと、アース部材５１と固定部材５７がアース用導電体Ｅを挟み付ける。これにより、ノイズフィルタＦｂがアース用導電体Ｅに固定されると同時に、アース部材５１がアース用導電体Ｅに接触してアースされる。本実施例２のノイズフィルタＦｂは、ねじ込み手段として雌ネジ孔６３とボルト４０を有しているので、ねじ込み手段が設けられていないアース用導電体Ｅにも導通可能に取り付けることができる。
【００４１】
また、アース部材５１と固定部材５７には、互いに係止することでアース部材５１と固定部材５７の相対回転を規制する回り止め部として、夫々、係止孔５６と係止突起６０が形成されている。この構成によれば、ボルト４０を雌ネジ孔６３にねじ込んでいく際に、アース部材５１と固定部材５７が相対回転しないので、ボルト４０と雌ネジ孔６３を確実に締め付けることができる。
【００４２】
＜他の実施例＞
本発明は上記記述及び図面によって説明した実施例に限定されるものではなく、例えば次のような実施例も本発明の技術的範囲に含まれる。
（１）上記実施例１，２では、アース部材に接続されるフィルタ素子がコンデンサであるが、アース部材に接続されるフィルタ素子はコンデンサ以外のものであってもよい。
（２）上記実施例１，２では、コイルを備えているが、本発明は、コイルを有しないノイズフィルタにも適用できる。
（３）上記実施例１，２では、待受側ネジ部がバーリング加工によって形成されているが、固定部材又は固定用延出部にナットを固着し、そのナットの雌ネジ孔を待受側ネジ部として機能させてもよい。
（４）上記実施例１，２では、固定部材に待受側ネジ部を設けたが、待受側ネジ部は、固定用延出部に設けてもよい。
（５）上記実施例１，２では、待受側ネジ部を雌ネジ孔とし、ボルトをネジ部材としたが、固定用延出部又は固定部材に固着したスタッドボルトを待受側ネジ部とし、ナットをネジ部材としてもよい。
（６）上記実施例１，２では、アース部材と固定部材に回り止め部を形成したが、アース部材と固定部材に回り止め部を形成しない形態としてもよい。
（７）上記実施例１，２では、回り止め部を固定用延出部に形成したが、回り止め部は、アース部材のうち固定用延出部とは別の部位（本体部）に形成してもよい。
（８）上記実施例１，２では、アース部材側の回り止め部を係止孔（孔状）とし、固定部材側の回り止め部を係止突起（突起状）としたが、これとは逆に、アース部材側の回り止め部を係止孔（孔状）とし、固定部材側の回り止め部を係止突起（突起状）としてもよい。
（９）上記実施例１では、回転規制部をアース部材のみに形成したが、回転規制部は、アース部材と固定部材の両方に形成してもよく、固定部材のみに形成してもよい。アース部材と固定部材の両方に回転規制部を形成した場合は、回り止め部を形成しなくても、アース部材と固定部材の相対回転を規制することが可能である。
（１０）上記実施例２では、回転規制部を形成していないが、アース部材と固定部材のうち少なくとも一方に回転規制部を形成してもよい。
（１１）上記実施例１，２では、アース用導電体に２本の補強リブが形成されているが、補強リブの数は、１本でも、３本以上でもよい。
（１２）上記実施例１，２では、アース用導電体に補強リブを形成したが、本発明は、アース用導電体に補強リブが形成されていない場合にも適用できる。
【符号の説明】
【００４３】
Ｅ…アース用導電体
Ｆａ，Ｆｂ…ノイズフィルタ
１１…ケース
２１，５１…アース部材
２３…回転規制部
２４，５３…固定用延出部
２６，５６…係止孔（回り止め部）
２９…コンデンサ（フィルタ素子）
３２，５７…固定部材
３７，６０…係止突起（回り止め部）
３９，６３…雌ネジ孔（待受側ネジ部）
４０…ボルト（ネジ部材）
【図１】
2016154290.tif 000003
【図２】
2016154290.tif 000004
【図３】
2016154290.tif 000005
【図４】
2016154290.tif 000006